(57)【要約】      （修正有）【課題】浮揚支持されたプレーヤーにおいても安定したトーンアームの操作を行う事が出来るオイル制動式リフターを提供する。【解決手段】オイル制動式リフター１は、トーンアーム１０を上昇又は下降させるため、ピストン１１及びサブピストン２１と、ピストンを上下方向に移動可能に収容し内面に粘性オイルが塗布されたシリンダ１Ａと、ピストンの上部に下部が連結されて下部から延びる上部にトーンアームを載置する腕材２０とを有し、更に、外被２Ａと外被中をスライドする芯線１２とを有する可撓性のワイヤーケーブル２が、レコードプレーヤーから離れた場所にあるダイヤルノブとピストン１１又は２１の下部とを連結するように配置されており、ダイヤルノブを操作するとワイヤーケーブル２の芯線１２がスライドしてピストン下部に作用してトーンアーム１０を上昇又は下降させる。【選択図】図４
0003146262.tif 000002
【実用新案登録請求の範囲】
【請求項１】
アナログレコードプレーヤーのトーンアームを上昇又は下降させるため、ピストンと、該ピストンを上下方向に移動可能に収容するとともに前記ピストンの移動を制動するように内面に粘性オイルが塗布されたシリンダと、前記ピストンの上部に下部が連結され、該下部から上方に延びる上部に前記トーンアームを載置する腕材とを有し、前記ピストンの上昇又は下降によって前記腕材に載置された前記トーンアームを上昇又は下降させるオイル制動式リフターであって、
外被と該外被中をスライドする芯線とを有する可撓性のワイヤーケーブルが、前記レコードプレーヤーから離れた場所にある操作部材と前記ピストンの下部とを連結するように配置されており、前記操作部材を操作すると前記ワイヤーケーブルの芯線がスライドして前記ピストン下部に作用して該ピストンを上昇又は下降させて前記腕材に載置されたトーンアームを上昇又は下降させる、ことを特徴とするオイル制動式リフター。
【請求項２】
請求項１に記載のオイル制動式リフターにおいて、前記操作部材は、軸心回りに回転可能なホイール形状のダイヤルノブに形成され、該ダイヤルノブには前記軸心回りに偏心回転するカム部分が設けられ、前記ワイヤーケーブルの芯線の一端が前記ダイヤルノブの前記カム部分に係合しており、該ダイヤルノブの回転によって前記ワイヤーケーブルの芯線がスライドして該芯線の他端が前記ピストンの下部を押上げる、ことを特徴とするオイル制動式リフター。
【請求項３】
請求項２に記載のオイル制動式リフターにおいて、前記シリンダには前記トーンアームを上昇又は下降させるためのリフター手動レバーが配置されており、前記ピストンの下部には、前記リフター手動レバーから延びるカム軸が、前記ピストンの軸心に直交する軸心回りに回転可能に設けられており、該カム軸は、前記ピストンを上昇させるように作用する第１回転位置と該ピストンを下降させるように作用する第２回転位置とを採るように前記リフター手動レバーで回転させられる構成であり、前記ワイヤーケーブルの芯線の前記他端は、前記カム軸を貫通して前記ピストンの下部を押上げるように作用しており、前記リフター手動レバーの動作とは無関係に、前記ダイヤルノブの回転によって前記ピストンを上昇又は下降させることができる、ことを特徴とするオイル制動式リフター。
【請求項４】
請求項３に記載のオイル制動式リフターにおいて、前記レコードプレーヤーは、ターンテーブルと該ターンテーブルを回転させるモータと前記トーンアームと当該オイル制動式リフターとを含む動作主要部と該動作主要部以外の周縁部分とを有し、前記動作主要部と前記周縁部分との間には、前記周縁部分からの振動が前記動作主要部に伝達されないようにする動作主要部浮揚装置が設けられ、前記ダイヤルノブは、前記レコードプレーヤーの前記動作主要部以外の場所に設けられて、前記ワイヤーケーブルは前記ダイヤルノブから前記ピストンを収容する前記シリンダ下部に向けて延びて、該ダイヤルノブの操作に伴なう振動が前記動作主要部には伝達されない、ことを特徴とするオイル制動式リフター。
【請求項５】
請求項４に記載のオイル制動式リフターにおいて、前記ダイヤルノブは、前記レコードプレーヤーの前記動作主要部以外の場所に配置された遠隔操作箱に設けられている、ことを特徴とするオイル制動式リフター。
【請求項６】
請求項４又は５に記載のオイル制動式リフターにおいて、前記ワイヤーケーブルは、長さが６０ｃｍ〜２００ｃｍである、ことを特徴とするオイル制動式リフター。
【請求項７】
請求項１〜６のいずれか１項に記載のオイル制動式リフターにおいて、前記シリンダ内には、前記ピストンの下部に、サブピストンが設けられ、且つ、前記ピストンの下部と前記サブピストンの上部との間に、押しバネが設けられており、前記ワイヤーケーブルの芯線は前記サブピストンの下部に作用するように延びており、前記サブピストン及び前記押しバネを仲介して前記ピストンを上昇させて、前記トーンアームの急激な上昇を緩和させている、ことを特徴とするオイル制動式リフター。
【請求項８】
請求項１〜７のいずれか１項に記載のオイル制動式リフターにおいて、前記ワイヤーケーブルは、前記シリンダの下部に、取外し可能に連結されている、ことを特徴とするオイル制動式リフター。
【請求項９】
請求項８に記載のオイル制動式リフターにおいて、前記シリンダ下部には雌ネジ穴が形成され、前記ワイヤーケーブルの外被の端部には前記雌ネジ穴に螺合する雄ネジが形成されており、前記ワイヤーケーブルは前記シリンダの下部にネジ連結されている、ことを特徴とするオイル制動式リフター。
【考案の詳細な説明】
【技術分野】
【０００１】
本考案は、アナログレコードプレーヤーのトーンアーム先端に取り付けられたカートリッジ針先を上昇、下降させる為のオイル制動式リフタ一に関する。
【背景技術】
【０００２】
アナログレコードプレーヤーを使用する際には部屋の床等からの振動、揺動等を防ぐ目的でプレーヤーのターンテーブル、トーンアーム等動作主要部の関係位置を一定に保つ為一体の板構造材に固定し、此の板構造材をコイルスプリング等のクッションを用い、３〜４カ所で浮揚支持させたものが多く使用されている。この様なプレーヤーにおいてトーンアーム先端に取り付けたカートリッジ針先をレコード盤の希望する音溝近くに降ろす為にトーンアームに取付けられたオイル制動式リフターを使う事が通常用いられている。
【０００３】
オイル制動式リフターは、トーンアームを上昇又は下降させるため、ピストンと、ピストンを上下方向に移動可能に収容するとともにピストンの移動を制動するように内面に粘性オイルが塗布されたシリンダと、ピストンの上部に下部が連結され、この下部から上方に延びる上部にトーンアームを載置する腕材とを有し、ピストンの上昇又は下降によって腕材に載置されたトーンアームを上昇又は下降させる。腕材を降下させるにはリフタ一取付板に組込まれた手動レバーを手前方向に回転させると半円カム軸の切欠き部までオイル制動式ピストンに組み込まれた押しバネに依りオイル制動されたピストンがゆっくりと下降させることが出来る。又レコード盤演奏終了時には同じくリフタ一手動レバーを上方向に回転させるとサブピストンとサブ押しバネに依り半円カムの急激な初期上昇を吸収してオイル制動されたピストンがゆっくりとトーンアームを上昇させるのでレコード盤音構よりカートリッジ針先を安全に上昇させる事が出来る。
【考案の開示】
【考案が解決しようとする課題】
【０００４】
上記のように、従来は浮揚支持されたプレーヤーではレコード盤演奏の為オイル制動式リフタ一手動レバーを上方に回転させてカートリッジ針先を上昇させた状態でトーンアームを、レコード盤の希望する音溝近くに針先を位置させ、オイル制動式リフターを下降させる為、使用者がトーンアームのリフタ一手動レバーに指を触れるとサスペンションにより浮揚支持された動作主要部全体の揺動を励起してしまう事があり、また、リフターの手動レバーを下降させて針先がレコード音溝に着地した後まで揺動が収まらず針先が音溝から跳ねて大きなノイズが出る事もあり、更にひどい場合は音溝にキズを付ける事、又は針先を破損する事まで有った。
【０００５】
従って、本考案の目的は、浮揚支持されたプレーヤーにおいても安定したトーンアームの操作を行う事が出来るオイル制動式リフターを提供することにある。
【課題を解決するための手段】
【０００６】
上記目的を達成するため、本考案によれば、アナログレコードプレーヤーのトーンアームを上昇又は下降させるため、ピストンと、ピストンを上下方向に移動可能に収容するとともにピストンの移動を制動するように内面に粘性オイルが塗布されたシリンダと、ピストンの上部に下部が連結され、該下部から延びる上部にトーンアームを載置する腕材とを有し、ピストンの上昇又は下降によって腕材に載置されたトーンアームを上昇又は下降させるオイル制動式リフターであって、外被と外被中をスライドする芯線とを有する可撓性のワイヤーケーブルが、レコードプレーヤーから離れた場所にある操作部材とピストンの下部とを連結するように配置されており、操作部材を操作するとワイヤーケーブルの芯線がスライドしてピストン下部に作用してピストンを上昇又は下降させて腕材に載置されたトーンアームを上昇又は下降させる、ことを特徴とするオイル制動式リフターが提供される。
【０００７】
上記のように、本考案によれば、オイル制動式リフタ一に、可撓性で柔軟な、そして必要な長さを有するケーブルワイヤーを着脱可能に取り付けてアナログレコードプレーヤーのサスペンションの浮揚支持効果を制限する事無く機能させてカートリッジ針先及びレコード音溝を安全に扱う。そして、記手動レバーのオイル制動式リフターと共用で出来るワイヤーケーブルを用いた遠隔操作を行うための装置を提供する。
【０００８】
すなわち、本考案は、レコード盤演奏をする場合にトーンアームのオイル制動式リフタ一手動レバーに触れずにリフターの上昇、下降を自在に行うためオイル制動式リフター外筒シリンダーの底部にサスペンションの浮揚支持効果を妨げない長さの柔軟なワイヤーケーブル外被をスリーブネジに依り着脱可能に取付けてワイヤーケーブルの他方の端末にワイヤーケーブルの外被を固定させて、ワイヤーケーブルの芯線を移動させる為の半円カム軸を操作するダイアルノブ等の操作部材を備えた操作箱をしっかりした机や台等に固定させることができ、遠隔リフター操作はトーンアーム等に触れない為、励震をさせない構造で問題を解決している。
【０００９】
上記オイル制動式リフターにおいて、操作部材は、軸心回りに回転可能なホイール形状のダイヤルノブに形成され、ダイヤルノブには軸心回りに偏心回転するカム部分が設けられ、ワイヤーケーブルの芯線の一端がダイヤルノブのカム部分に係合しており、ダイヤルノブの回転によってワイヤーケーブルの芯線がスライドして芯線の他端がピストンの下部を押上げるように動作する。シリンダにはトーンアームを上昇又は下降させるためのリフター手動レバーが配置されており、ピストンの下部には、リフター手動レバーから延びるカム軸が、ピストンの軸心に直交する軸心回りに回転可能に設けられており、該カム軸は、ピストンを上昇させるように作用する第１回転位置とピストンを下降させるように作用する第２回転位置とを採るようにリフター手動レバーで回転させられる構成であり、ワイヤーケーブルの芯線の他端は、カム軸を貫通してピストンの下部を押上げるように作用しており、リフター手動レバーの動作とは無関係に、ダイヤルノブの回転によってピストンを上昇又は下降させることができる。レコードプレーヤーは、ターンテーブルとターンテーブルを回転させるモータとトーンアームと当該オイル制動式リフターとを含む動作主要部と動作主要部以外の周縁部分とを有し、動作主要部と周縁部分との間には、周縁部分からの振動が動作主要部に伝達されないようにする動作主要部浮揚装置が設けられ、ダイヤルノブは、レコードプレーヤーの動作主要部以外の場所に設けられて、ワイヤーケーブルはダイヤルノブからピストンを収容するシリンダ下部に向けて延びて、ダイヤルノブの操作に伴なう振動が動作主要部には伝達されない。ダイヤルノブは、レコードプレーヤーの動作主要部以外の場所に配置された遠隔操作箱に設けられている。ワイヤーケーブルは、長さが６０ｃｍ〜２００ｃｍであるのが好ましい。シリンダ内には、ピストンの下部に、サブピストンが設けられ、且つ、ピストンの下部とサブピストンの上部との間に、押しバネが設けられる場合、ワイヤーケーブルの芯線はサブピストンの下部に作用するように延びており、サブピストン及び押しバネを仲介してピストンを上昇させて、トーンアームの急激な上昇を緩和させている。ワイヤーケーブルは、シリンダの下部に、取外し可能に連結されている。この場合、シリンダ下部には雌ネジ穴が形成され、ワイヤーケーブルの外被の端部には雌ネジ穴に螺合する雄ネジが形成されており、ワイヤーケーブルはシリンダの下部にネジ連結されている。かかる構成によって、市販のオイル制動式リフターのシリンダを加工するだけで、簡単に、本考案に係るオイル制動式リフターとすることができる。
【考案の効果】
【００１０】
上述の様に、本考案のプレーヤーサスペンション浮揚支持の効果を妨げない長さの柔軟なワイヤーケーブルを用いた遠隔リフター操作箱を用いてアナログレコード演奏を行う時は、先ず遠隔リフター操作箱のダイアルノブを上昇回転させて、カートリッジ針先を上昇させて置き、オイル制動式リフターピストンの軸上部に付けられた円弧状の腕材上のトーーンアームパイプ部を移動させてトーンア一に取り付けられたカートリッジ針先をレコード盤の希望する音溝近くに位置させて置いてからレコード盤を回転させる。次に机及び台に固定されたワイヤーケーブルの遠隔リフター操作箱のダイヤルノブを降下回転操作すればプレーヤー上の音盤の希望する位置近くに針先がオイル制動されたピストンの緩やかな降下に依って音溝に接し、ノイズを出さずに演奏が開始される。更に音盤の演奏が終了した時に操作箱のダイアルノブを上昇回転させてリフターを上昇させれば緩やかに音溝から針先が上昇をしてノイズなく音溝も傷っく事もない操作が可能で有る。オイル制動式リフターの手動レバーの半円カム軸にはワイヤーケーブル芯線が楽に通る溝が設けられているので遠隔操作リフターとして用いるときはレバーを下げて置けば問題なく使用でき、又手動レバーを上昇させておけば遠隔操作箱での下降はできないのでプレーヤー未使用時のロック状態として用いることが可能である。又遠隔操作装置が不具合の場合は手動レバーでの操作が行える利点が有る。
【考案を実施するための最良の形態】
【００１１】
以下、図面を参照しながら、本考案の実施形態について説明する。図１〜図３には、本考案の実施形態に係るオイル制動式リフター１が搭載される、アナログレコードプレーヤーの全体が示されている。レコードプレーヤーは、ターンテーブル２８と、ターンテーブル２８を回転させるモータ２９と、トーンアーム１０と、本考案の実施形態に係るオイル制動式リフター１とを含む動作主要部を有する。動作主要部は、円板形状の支持板と３つのコイルスプリングサスペンション７で成る動作主要部浮揚装置６によって、レコードプレーヤの周縁部分から浮揚支持されており、周縁部分及び周縁部分が置かれた台５（又は机５）等からの振動が動作主要部に伝達されないようにしている。トーンアーム１０は、ジンバル支持部材によって、水平方向に旋回可能に及び垂直方向に旋回可能に支持されている。トーンアーム１０の先端にはカートリッジ針１６が取付けられており、ターンテーブル２８上のレコード盤８の音溝から音をピックアップする。
【００１２】
オイル制動式リフター１は、レコードプレーヤーのトーンアーム１０（のカートリッジ針１６）を上昇又は下降させる。オイル制動式リフター１の詳細が、図４〜図８に示されている。図４〜図７に示すように、オイル制動式リフター１は、リフターオイル制動ピストン１１と、このピストン１１を上下方向に移動可能に収容するとともにピストン１１の移動を制動するように内面に粘性オイルが塗布されたシリンダ１Ａと、ピストン１１の上部に押しバネ１８を介して下部が連結され、その下部から延びる上部にトーンアーム１０を載置する円弧形状の腕材２０とを有する。更に、図示の実施形態においては、リフターオイル制動ピストン１１の下部にサブ押しバネ２２を介してサブピストン２１が設けられている。押しバネ１８及びサブ押しバネ２２は、サブピストン２１又はピストン１１の上昇運動又は下降運動が、そのまま直接に腕材２０に伝わるのを緩和して、トーンアーム１０の急激な上昇又は下降を防止する。なお、サブピストン及びサブ押しバネは必須ではないが、トーンアームの急激な上昇又は下降の緩和を向上させる。
【００１３】
オイル制動式リフター１のシリンダ１Ａにはトーンアーム１０を上昇又は下降させるためのリフター手動レバー１７が配置されている。サブピストン２１（サブピストン２１がない場合にはリフターオイル制動ピストン１１）の下部には、リフター手動レバー１７から延びる、半円棒状のカム軸１３が、サブピストン２１（又はピストン１１）の軸心に直交する軸心回りに回転可能に設けられている。半円棒状のカム軸１３は、サブピストン２１（又はピストン１１）を上昇させるように作用する第１回転位置（図６及び図７）と、サブピストン２１（又はピストン１１）を下降させるように作用する第２回転位置（図４及び図５）とを採るように、リフター手動レバー１７で回転させられる。このリフター手動レバー１７の動作は、動作主要部を震動させて、針１６がレコード音溝に着地した後まで揺動が収まらず針１６が音溝から跳ねて大きなノイズが出たり、音溝にキズ付けたり、針を破損する事まで有る。
【００１４】
本考案の実施形態に係るオイル制動式リフター１には、図１〜図１１に図示のように、外被２Ａと外被中をスライドする芯線１２とを有する可撓性のワイヤーケーブル２が、レコードプレーヤーから離れた場所（具体的には、前記動作主要部以外の場所）にある操作部材としてのダイヤルノブ４とサブピストン２１（又はピストン１１）の下部とを連結するように配置されている。ダイヤルノブ４は、レコードプレーヤーの動作主要部以外の場所に設けられ、ワイヤーケーブル２はダイヤルノブ４からピストン２１及び１１を収容するシリンダ１Ａの下部に向けて延びているので、ダイヤルノブ４の操作に伴なう振動が動作主要部に伝達されることがなくなる。従って、針１６がレコード音溝に着地した後まで揺動が収まらず針１６が音溝から跳ねて大きなノイズが出たりすることはなくなり、音溝にキズ付けたり針を破損することもなくなる。ダイヤルノブ４を操作するとワイヤーケーブル２の芯線１２がスライドしてサブピストン２１（又はピストン１１）下部に作用してサブピストン２１（又はピストン１１）を上昇又は下降させて腕材２０に載置されたトーンアーム１０を上昇又は下降させる。なお、ワイヤーケーブル２の長さは、レコードプレーヤーの大きさ等に合わせて、６０ｃｍ〜２００ｃｍにされる。また、操作部材として、ダイヤルノブ４を例示したが、他の操作部材であってもよく、例えば、レバー等の部材であってもよい。
【００１５】
ダイヤルノブ４は、図１に図示のように、レコードプレーヤーの動作主要部以外の場所に配置された遠隔操作箱３に設けられている。図示の例では、遠隔操作箱３は、台５（又は机５）等のレコードプレーヤーの動作主要部から離れた場所に置かれている。図９〜図１１は、ワイヤーケーブル２が接続された遠隔操作箱３の部分を示している。図９に図示のように、遠隔操作箱３の上面には、トーンアーム１０の上昇（ＵＰ）と下降（ＤＯＷＮ）を示す文字が記載されている。ダイヤルノブ４は、図９〜図１１に示すように、軸心回りに回転可能なホイール形状に形成され、ダイヤルノブ４には、軸心回りに偏心回転するカム部分となるダイヤルノブ半円カム軸１５が設けられている。このダイヤルノブ半円カム軸１５には、図１１に図示のように、ワイヤーケーブル２の芯線１２の一端が、カム受板２７を介して係合している。ダイヤルノブ４の回転によってワイヤーケーブル２の芯線１２がスライドして芯線１２の他端がサブピストン２１（又はピストン１１）の下部を押上げる。
【００１６】
ワイヤーケーブル２の芯線１２のピストン側の端は、リフター手動レバー１７から延びる、半円棒状のカム軸１３と交差するようにして、サブピストン２１（サブピストン２１がない場合にはリフターオイル制動ピストン１１）の下部を押上げるように係合する。ワイヤーケーブル２の芯線１２のピストン側の端は、図８に図示のようにカム軸１３に形成された溝１３Ａによって、カム軸１３を貫通してピストンの下部を押上げるように作用する。これによって、リフター手動レバー１７の動作とは無関係に、ダイヤルノブ４の回転によってサブピストン２１（又はピストン１１）を上昇又は下降させることができる。
【００１７】
ワイヤーケーブル２は、シリンダ１Ａの下部に、取外し可能に連結される。図４〜図７を参照すると、シリンダ１Ａの下部にスリーブネジ１４が取付けられ、スリーブネジ１４には雌ネジ穴が形成されている。他方、ワイヤーケーブル２の外被２Ａの端部には、スリーブネジ１４の雌ネジ穴に螺合する雄ネジが形成されている。ワイヤーケーブル２はシリンダ１Ａの下部のスリーブネジ１４にネジ連結されている。なお、市販のオイル制動式リフターのシリンダの下部にスリーブネジを取付ける加工を施して、ワイヤーケーブル２を連結することもできる。
【００１８】
なお、図１２は、異なるカートリッジ針を持つ２つのトーンアームが設けられたレコードプレーヤーを示している。この場合にも、それぞれのトーンアーム１０の上昇又は下降のためにワイヤーケーブル２が設けられ、それぞれは遠隔操作箱３のダイヤルノブ４に連結されていて、それぞれが遠隔操作できる。
【００１９】
動作において、トーンアームのリフター取付板９にネジ止めされたオイル制動式リフター１の手動レバー１７を上方に回転させてリフターを上昇させる、又は手動レバー１７を手前に回転させてリフターを下降させる事が出きる。此の手動レバー１７の降下状態でワイヤーケーブル２外被端のスリーブネジ１４をオイル制動式リフターのシリンダー１Ａの底部にネジ止めする、ワイヤーケーブル２の他端は、端末スリーブネジ部２４を遠隔操作箱３の穴に組付けてカム受板２７を固定したワイヤーケーブル芯線１２がダイヤルノブ４を向側ＵＰ方向に回転させるとダイアルノブ半円カム軸１５の回転によって押し出されてリフタ一手動レバー半円カム１３の溝を通ってワイヤーケーブル芯線１２の先端がサブピストン２１底部を押し上げてサブ押しバネ２２を介してオイル制動式リフターピストン１１底部を押し上げピストン軸３０にネジ止めされた円弧状腕材２０を上昇させるので１０のトーンアームを乗せてレコード盤８にカートリッジ針先１６を意図する音構に合わせる事ができる。
【００２０】
レコード盤８を回転させてから遠隔操作箱３のダイヤルノブ４を手前ＤＯＷＮ方向に回転するとワイヤーケーブル芯線１２がリフターピストン１１底部を押し上げていた状態が解除されてトーンアーム１０は降下を始め、リフター制動用高粘度オイル３１に依る制動されたピストン１１の緩やかな降下によりレコード盤８の音構にソフトランディング出来るのでノイズも出ず、キズも付くこと無く演奏を開始することが出来る。演奏を終了する場合と、演奏途中で中止する場合も遠隔操作箱３のダイアルノブ４を向側ＵＰ方向に回転させればカートリッジ針先１６はレコード音溝から緩やかに上昇して演奏を中止できる。
【００２１】
リフタ一手動レバー１７は動作主要部６に一体に組み付けられたトーンアーム基部のリフター取付板に固定されて居る為に手動でリフターを操作する為にリフタ一手動レバー１７に手を触れるとプレーヤーのコイルスプリングサスペンション７に依って動作主要部浮揚装置６と一体支持されている為に浮揚装置全体が揺動を起こす事がしばしば起こって仕舞いレコード盤８にソフトランディングが出来ずに音溝からカートリッジ針先１６が飛び出す等ノイズを出すこともあって、音溝、針先、更にはカートリッジ振動系まで破損する事故もあった。これに対して、ダイヤルノブ４の操作によるトーンアーム１０の上昇又は下降は、動作主要部を揺動せず、トーンアームはレコード盤８にソフトランディングすることができる。なお、ワイヤーケーブル２の遠隔操作箱３は浮揚装置に振動等の伝わらない、台５（又は机５）等のしっかりした部分の最適位置に設置することが出来る。
【００２２】
トーンアーム取付位置、複数のトーンアーム等プレーヤーの配置によって取付位置が手の届きにくいスペースに設置せざるを得ない場合なども生じるが、此のワイヤーケーブル遠隔操作装置に依って安全なトーンアーム、カートリッジ操作が可能になったのでワイヤーケーブルの最適長さを勘案して浮揚装置の除震効果を発揮させることが可能である。
【００２３】
プレーヤー動作主要部がサスペンションで浮揚支持されて、ワイヤーケーブルの長さと配置を浮揚支持効果を妨げない様に設置し、ワイヤーケーブルの遠隔操作箱をプレーヤーの固定外枠近くの振動と揺動を起こさないしっかりした机、台等に置いてトーンアームリフターの操作を行えばカートリッジ針先とレコード盤の音溝を傷める事なく演奏を行い終了する事が可能になる装置である。又本考案のオイル制動式リフター遠隔操作装置を用いれば浮揚支持されたレコードプレーヤーにおいても、又浮揚支持されていないプレーヤーにおいても、レコード演奏時に希望する音溝近くに針先を上昇状態で位置させて置いて、ダストカバーを持つプレーヤのダストカバーを閉じてホコリを防ぐ状態にしておくことが可能であるので大変便利である、更に演奏終了時にもリフターを上昇させて演奏を止めた状態をダストカバーを閉じたままも可能である。
【図面の簡単な説明】
【００２４】
【図１】本考案の実施形態に係るオイル制動式リフターを組み込むことができるアナログレコードプレーヤーの平面図である。
【図２】図１のレコードプレーヤーの正面の側から見た図であって、図１のII−II線において部分的に断面して示す図である。
【図３】図１のレコードプレーヤーの右側から見た部分断面図である。
【図４】本考案の１実施形態に係わるオイル制動式リフターのリフター降下時の正面から見た部分断面図である。
【図５】図４のオイル制動式リフターの右側から見た部分断面図である。
【図６】図４のオイル制動式リフターであって、リフター上昇時の正面から見た部分断面図である。
【図７】図６のオイル制動式リフターの右側から見た部分断面図である。
【図８】オイル制動式リフターの手動レバー半円カム軸の斜視図である。
【図９】ダイアルノブ操作箱の平面図である。
【図１０】ダイアルノブ操作箱の上カバーを除去した状態の平面図である。
【図１１】ダイアルノブ操作箱の右側から見た断面図である。
【図１２】２つのトーンアームを配置した例を示すレコードプレーヤーの平面図である。
【符号の説明】
【００２５】
１  オイル制動式リフター
１Ａ  シリンダ
２  ワイヤーケーブル
２Ａ  外被
３  遠隔操作箱
４  ダイヤルノブ（操作部材）
５  台（又は机）
６  動作主要部浮揚装置
７  コイルスプリングサスペンション
８  レコード盤
９  リフター取付板
１０  トーンアーム
１１  リフターオイル制動ピストン
１２  ワイヤーケーブル芯線
１３  リフタ一手動レバー半円カム軸
１４    スリーブネジ
１５  ダイヤルノブ半円カム軸
１６  カートリッジ針
１７  リフタ一手動レバー
１８  押しバネ
１９  押しバネ止めワッシャー
２０  円弧状の腕材
２１  サブピストン
２２  サブ押しバネ
２３  端末スリーブ
２４  端末スリーブネジ部
２５  端末スリーブ位置調整リングナット
２６  端末スリーブ固定ネジ
２７  カム受板
２８  ターンテーブル
２９  ターンテーブルモーター
３０  ピストン軸
３１  リフター制動用高粘度オイル
【図１】
0003146262.tif 000003
【図２】
0003146262.tif 000004
【図３】
0003146262.tif 000005
【図４】
0003146262.tif 000006
【図５】
0003146262.tif 000007
【図６】
0003146262.tif 000008
【図７】
0003146262.tif 000009
【図８】
0003146262.tif 000010
【図９】
0003146262.tif 000011
【図１０】
0003146262.tif 000012
【図１１】
0003146262.tif 000013
【図１２】
0003146262.tif 000014